(57)【要約】      （修正有）【課題】構造の複雑化及び高コスト化を招くことなく、可動領域の広域化及び関節構造の露出化の抑制を図ることができる人形玩具における股関節及び腰関節を含む腰部の被覆構造を提供する。【構成】腰部が、胴体部の下方に関節動可能に接続される股関節パーツと、股関節パーツに取付けられる腰部パーツとを有する。股関節パーツは、本体部と、股関節軸部と、脚部が関節動可能に接続される股関節球体部と、腰関節軸部と、胴体部が関節動可能に接続される股関節球体部とを有する。腰部パーツは、前後に２分割されて股関節パーツの本体部を挟み込むことで取付けられ、腰部パーツの前パーツ部には本体部の略前半部分が嵌合する股関節パーツ取付用前側凹部が形成され、後パーツ部には本体部の略後半部分が嵌合する股関節パーツ取付用後側凹部が形成され、前パーツ部と後パーツ部との接合部には腰関節軸部が嵌り込む腰関節軸部用凹部が形成されている。【選択図】図１
0003153501.tif 000002
【実用新案登録請求の範囲】
【請求項１】
股関節及び腰関節を含む腰部をパンツ構成の被覆体によって被覆して成る人形玩具における股関節及び腰関節を含む腰部の被覆構造において、
前記股関節を含む腰部が、
胴体部の下方に関節動可能に接続される股関節パーツと、
該股関節パーツに取付けられる腰部パーツと、
を有して成り、
前記股関節パーツが、本体部と、該本体部の両側方から左右に延びる股関節軸部と、該股関節軸部の各々の端部に設けられて２本の脚部が関節動可能に接続される股関節球体部と、前記本体部の上部から上方に延びる腰関節軸部と、該腰関節軸部の端部に設けられて前記胴体部が関節動可能に接続される股関節球体部と、を有し、
前記腰部パーツが、前後に２分割されて前記股関節パーツの本体部を前後から挟み込むことで該股関節パーツに取付けられる構成であって、該腰部パーツの２分割された略前半部分である前パーツ部には前記本体部の略前半部分が嵌合する股関節パーツ取付用前側凹部が形成され、該腰部パーツの２分割された略後半部分である後パーツ部には前記本体部の略後半部分が嵌合する股関節パーツ取付用後側凹部が形成され、前パーツ部と後パーツ部との接合部の少なくともいずれか一方には前記本体部から延びる前記腰関節軸部が嵌り込む腰関節軸部用凹部が形成されていること、
を特徴とする人形玩具における股関節及び腰関節を含む腰部の被覆構造。
【請求項２】
前記股関節パーツの本体部の前面及び／又は後面には、下記構成の係止部が形成され、
前記腰部パーツの前パーツ部及び／又は後パーツ部には、前記係止部が嵌合する下記構成の被係止部が形成されていること、
を特徴とする請求項１に記載の人形玩具における股関節及び腰関節を含む腰部の被覆構造。
［係止部の構成］
凹部、凹条、孔部のいずれか１つ、又は凸部、凸条、突起のいずれか１つを有する構成。
［被係止部の構成］
凸部、凸条、突起のいずれか１つ、又は凹部、凹条、孔部のいずれか１つを有する構成。
【請求項３】
前記被覆体が、柔軟素材から成っていることを特徴とする請求項２又は３に記載の人形玩具における股関節及び腰関節を含む腰部の被覆構造。
【請求項４】
前記被覆体が、前記腰部の腰部パーツ及び股関節パーツの下方からはかせて取付けることで股関節を含む腰部を被覆する構成であることを特徴とする請求項１〜３のいずれかに記載の人形玩具における股関節及び腰関節を含む腰部の被覆構造。
【請求項５】
前記被覆体が、前記腰部の腰部パーツに取付けられる構成であることを特徴とする請求項１〜４のいずれかに記載の人形玩具における股関節及び腰関節を含む腰部の被覆構造。
【請求項６】
前記被覆体の内面に、下記構成の被覆体取付部が形成され、
前記腰部パーツの外面に、前記被覆体取付部が嵌合する下記構成の被覆体被取付部が形成されていること、
を特徴とする請求項５に記載の人形玩具における股関節及び腰関節を含む腰部の被覆構造。
［被覆体取付部の構成］
凹部、凹条、孔部のいずれか１つ、又は凸部、凸条、突起のいずれか１つを有する構成。
［被覆体被取付部の構成］
凸部、凸条、突起のいずれか１つ、又は凹部、凹条、孔部のいずれか１つを有する構成。
【考案の詳細な説明】
【技術分野】
【０００１】
本考案は人形玩具における股関節及び腰関節を含む腰部の被覆構造に関し、詳しくは人体の股関節及び腰関節と同様の動きが可能な人形玩具における股関節及び腰関節を含む腰部の被覆構造に関する。
【背景技術】
【０００２】
首・肩・肘・手首・腰・股関節・膝・足首等の関節部分が動くことで人体と同様の動きに近づけようとする玩具人形がこれまで多種多様に提案されている。
【０００３】
各関節部分の内、股関節及び腰関節は静的・動的を含めて様々な姿勢をとる上で重要な関節であるが、よりリアルな関節動となるように可動領域を大きくとる構成とした場合、首・肩・肘・手首・膝・足首等の関節とは異なり、股関節や腰関節構造は表現的に実際の人体骨格から大きく逸脱し、かかる関節構造を露出状態とした場合には人形玩具としての外観にも影響するため、パンツ様の腰部パーツの内部に関節構造を内蔵してしまう構成とすることが提案されている（例えば、特許文献１等参照）。
【先行技術文献】
【特許文献】
【０００４】
【特許文献１】特許第３３４１２１３号
【考案の概要】
【考案が解決しようとする課題】
【０００５】
特許文献１の技術は、パンツ様の腰部パーツに股関節パーツを挟み込み、更に胴部と腰部との接続部分については多数の部材から構成される腰関節部材を配設した構造である。
【０００６】
しかし特許文献１の技術では、簡単な関節構成の場合に生じてしまう可動領域の狭さや各接続部分における可動クリアランスの広域化による隙間の広がり過ぎを抑制することができるものとなっているが、腰関節構成が多数の部材から構成されることで複雑化し、高コスト化となるだけでなく、構成部品の多点数化及び構造の複雑化によって故障や破損が起こり易くなるという問題点を有している。
【０００７】
そこで本考案の課題は、構造の複雑化及び高コスト化を招くことなく、可動領域の広域化及び関節構造の露出化の抑制を図ることができる、人形玩具における股関節及び腰関節を含む腰部の被覆構造を提供することにある。
【課題を解決するための手段】
【０００８】
上記課題を解決する本考案は下記構成を有する。
【０００９】
１．股関節及び腰関節を含む腰部をパンツ構成の被覆体によって被覆して成る人形玩具における股関節及び腰関節を含む腰部の被覆構造において、
前記股関節を含む腰部が、
胴体部の下方に関節動可能に接続される股関節パーツと、
該股関節パーツに取付けられる腰部パーツと、
を有して成り、
前記股関節パーツが、本体部と、該本体部の両側方から左右に延びる股関節軸部と、該股関節軸部の各々の端部に設けられて２本の脚部が関節動可能に接続される股関節球体部と、前記本体部の上部から上方に延びる腰関節軸部と、該腰関節軸部の端部に設けられて前記胴体部が関節動可能に接続される股関節球体部と、を有し、
前記腰部パーツが、前後に２分割されて前記股関節パーツの本体部を前後から挟み込むことで該股関節パーツに取付けられる構成であって、該腰部パーツの２分割された略前半部分である前パーツ部には前記本体部の略前半部分が嵌合する股関節パーツ取付用前側凹部が形成され、該腰部パーツの２分割された略後半部分である後パーツ部には前記本体部の略後半部分が嵌合する股関節パーツ取付用後側凹部が形成され、前パーツ部と後パーツ部との接合部の少なくともいずれか一方には前記本体部から延びる前記腰関節軸部が嵌り込む腰関節軸部用凹部が形成されていること、
を特徴とする人形玩具における股関節及び腰関節を含む腰部の被覆構造。
【００１０】
２．前記股関節パーツの本体部の前面及び／又は後面には、下記構成の係止部が形成され、
前記腰部パーツの前パーツ部及び／又は後パーツ部には、前記係止部が嵌合する下記構成の被係止部が形成されていること、
を特徴とする上記１に記載の人形玩具における股関節及び腰関節を含む腰部の被覆構造。
［係止部の構成］
凹部、凹条、孔部のいずれか１つ、又は凸部、凸条、突起のいずれか１つを有する構成。
［被係止部の構成］
凸部、凸条、突起のいずれか１つ、又は凹部、凹条、孔部のいずれか１つを有する構成。
【００１１】
３．前記被覆体が、柔軟素材から成っていることを特徴とする上記２又は３に記載の人形玩具における股関節及び腰関節を含む腰部の被覆構造。
【００１２】
４．前記被覆体が、前記腰部の腰部パーツ及び股関節パーツの下方からはかせて取付けることで股関節を含む腰部を被覆する構成であることを特徴とする上記１〜３のいずれかに記載の人形玩具における股関節及び腰関節を含む腰部の被覆構造。
【００１３】
５．前記被覆体が、前記腰部の腰部パーツに取付けられる構成であることを特徴とする上記１〜４のいずれかに記載の人形玩具における股関節及び腰関節を含む腰部の被覆構造。
【００１４】
６．前記被覆体の内面に、下記構成の被覆体取付部が形成され、
前記腰部パーツの外面に、前記被覆体取付部が嵌合する下記構成の被覆体被取付部が形成されていること、
を特徴とする上記５に記載の人形玩具における股関節及び腰関節を含む腰部の被覆構造。
［被覆体取付部の構成］
凹部、凹条、孔部のいずれか１つ、又は凸部、凸条、突起のいずれか１つを有する構成。
［被覆体被取付部の構成］
凸部、凸条、突起のいずれか１つ、又は凹部、凹条、孔部のいずれか１つを有する構成。
【考案の効果】
【００１５】
請求項１に示す考案によれば、構造の複雑化及び高コスト化を招くことなく、可動領域の広域化及び関節構造の露出化の抑制を図ることができる、人形玩具における股関節及び腰関節を含む腰部の被覆構造を提供することができる。
【００１６】
特に、股関節パーツに、股関節を構成して脚部が可動可能に接続される股関節球体部と、腰関節を構成して胴体部が可動可能に接続される腰関節球体部が設けられていることから、構造が簡素でありながら可動領域の広域化と低コスト化を図ることができ、股関節を含む腰部をパンツ構成の被覆体によって被覆する構成を有することから、関節構造の露出化の抑制を図ることができる。
【００１７】
請求項２に示す考案によれば、股関節パーツに腰部パーツを取付けた際の一体性を高めることができる。
【００１８】
請求項３に示す考案によれば、股関節や腰関節で大きく関節動させた場合に各構成部材が被覆体と干渉しても、該被覆体が柔軟に変形するので、動きを妨げることがない。
【００１９】
請求項４に示す考案によれば、衣服と同じようにはかせる構成により、より自然な外観を呈する外形を得ることができる。
【００２０】
請求項５に示す考案によれば、胴体部に対して腰部が関節動する際に、腰部と一体化した状態で被覆体が動くことになるので、胴体部と腰部との可動のための間隙や股関節パーツに組み付けられた脚部パーツとの間隙等をより被覆して隠すことが可能となる。
【００２１】
請求項６に示す考案によれば、腰部パーツに被覆体をより安定した状態で取り付けることができる。
【図面の簡単な説明】
【００２２】
【図１】本考案に係る人形玩具における股関節及び腰関節を含む腰部の被覆構造の一実施例が適用された人形玩具の一部分解拡散概略斜視図
【図２】股関節パーツの一例を示す４面図（正面図、平面図、底面図、左側面図、背面図）
【図３】腰部パーツの前パーツ部の一例を示す４面図（正面図、平面図、底面図、左側面図、背面図）
【図４】腰部パーツの後前パーツ部の一例を示す４面図（正面図、平面図、底面図、左側面図、背面図）
【図５】股関節パーツへの腰部パーツの取付状態（取付前）の一例を一例を示す３面図（平面図、底面図、左側面図）
【図６】股関節パーツへの腰部パーツの取付状態（取付後）の一例を一例を示す４面図（正面図、平面図、底面図、左側面図）
【図７】被覆体の一例を示す３面図（平面図、Ａ−Ａ断面図、Ｂ−Ｂ断面図）
【図８】本考案の参考例が適用された人形玩具の一部分解拡散概略斜視図
【図９】参考例の腰部パーツの一例を示す３面図｛（Ａ）正面図、（Ｂ）左側面図、（Ｃ）底面図｝
【図１０】参考例のの股関節パーツの一例を示す４面図｛（Ａ）正面図、（Ｂ）左側面図、（Ｃ）底面図、（Ｄ）平面図｝
【図１１】参考例の腰部パーツと股関節パーツとから成る腰部の一例を示す３面図｛（Ａ）正面図、（Ｂ）左側面図、（Ｃ）底面図｝
【図１２】参考例の被覆体の一例を示す平面図
【考案を実施するための形態】
【００２３】
次に、添付の図面に従って本考案を詳細に説明する。
【００２４】
本考案に係る人形玩具における股関節及び腰関節を含む腰部の被覆構造は、図１に示すような人形玩具１の腰部２の構造に関するものであり、股関節及び腰関節を含む腰部２をパンツ構成の被覆体６によって被覆し、胴体部７、脚部８、頭部９、腕部１０等の各構成部材の関節部分である首・肩・肘・手首・腰・股関節・膝・足首等の各部が動くように構成することで人体と同様の動きに近づけようとするものである。
【００２５】
人形玩具１における股関節及び腰関節を含む腰部２の被覆構造について図１〜図７に基いて更に詳説すると、
前記股関節を含む腰部２が、
胴体部７の下方に関節動可能に接続される股関節パーツ３と、
該股関節パーツ３に取付けられる腰部パーツ４・５と、
を有して成り、
前記股関節パーツ３が、本体部３１と、該本体部３１の両側方から左右に延びる股関節軸部３２・３２と、該股関節軸部３２・３２の各々の端部に設けられて２本の脚部８・８が関節動可能に接続される股関節球体部３３・３３と、前記本体部３１の上部から上方に延びる腰関節軸部３４と、該腰関節軸部３４の端部に設けられて前記胴体部７が関節動可能に接続される股関節球体部３５と、を有し、
前記腰部パーツ４・５が、前後に２分割されて前記股関節パーツ３の本体部３１を前後から挟み込むことで該股関節パーツ３に取付けられる構成であって、該腰部パーツ４・５の２分割された略前半部分である前パーツ部４には前記本体部３１の略前半部分が嵌合する股関節パーツ取付用前側凹部４１が形成され、該腰部パーツ４・５の２分割された略後半部分である後パーツ部５には前記本体部３１の略後半部分が嵌合する股関節パーツ取付用後側凹部５１が形成され、前パーツ部４と後パーツ部５との接合部の少なくともいずれか一方（本実施例では両方）には前記本体部３１から延びる前記腰関節軸部３４が嵌り込む腰関節軸部用凹部４２・５２が形成された構成を有する。
【００２６】
また、前記股関節パーツ３の本体部３１の前面３１Ａ及び／又は後面３１Ｂ（本実施例では前面３１Ａと後面３１Ｂの両面）には、掛止部３６（前面３１Ａには３６Ａ、後面３１Ｂには３６Ｂ）が形成され、前記腰部パーツ４・５の前パーツ部４及び／又は後パーツ部５（本実施例では、前パーツ部４と後パーツ部５の両方）には、前記掛止部３６（３６Ａ・３６Ｂ）が嵌合する被掛止部４３・５３（前パーツ部４には４３、後パーツ部５には５３）が形成されていることが、股関節パーツ３に腰部パーツ４・５を取付けた際の一体性を高めることができるので好ましい。
【００２７】
掛止部３６（３６Ａ・３６Ｂ）は、本実施例では凸条から形成されているが、凸部、突起のいずれか１つ、又は凹部、凹条、孔部のいずれか１つを有する構成であってもよい。
【００２８】
また、被掛止部４３・５３は、本実施例では凹条から形成されているが、凹部、孔部のいずれか１つ、又は凸部、凸条、突起のいずれか１つを有する構成であってもよい。
【００２９】
尚、前パーツ部４と後パーツ部５との接合性を高めるために、前パーツ部４には突起４４が、後パーツ部５には突起４４が嵌合する孔部５４が形成されていることが好ましい。
【００３０】
更に、前記股関節パーツ３の本体部３１の前面３１Ａに腰部パーツの前パーツ部４を取付け、後面３１Ｂに後パーツ部５を取り付ける際に、前後を誤って取付けてしまわないように、取付向きが明瞭に認識できるように前面３１Ａと後面３１Ｂの形状が異なるように変えることが好ましい。本実施例では、前面３１Ａに角部を形成することで形状を変えている。
【００３１】
股関節パーツ３の材質としては、関節動させた際に生じる摩擦に対して耐磨耗性を有すると共に円滑な摺動性を確保し、更に衝撃や応力等に耐え得る強度や製造時の加工性・コスト等の諸条件を満たす素材であるポリアセタール（ＰＯＭ）やポリアミド（ナイロン）等が好ましく挙げられる。
【００３２】
腰部パーツ４・５の材質としては、ポリ塩化ビニル（ＰＶＣ）やＡＢＳ樹脂等を好ましく挙げることができる。該腰部パーツ４・５は、前記股関節パーツ３が関節部としての機能を確保すると共に上記した諸条件を満たすために難接着性材料で形成されることから、前記股関節パーツ３を前後から挟み込んだ状態で一体的に取付けられることで前記股関節パーツ３の支持体になることで他の構成部材である被覆体６が取付け易い構成及び材質となることが要求される。
【００３３】
上記した構成を有する腰部２を被覆するパンツ構成の被覆体６としては、柔軟素材から成っていることが好ましい。好ましい柔軟素材としては、例えば、熱可塑性ゴム（ＴＰＲ）や軟質ポリ塩化ビニル（ＰＶＣ）等を挙げることができる。
【００３４】
また被覆体６は、前記腰部２の股関節パーツ３及び腰部パーツ４・５の下方からはかせて取付ける構成であることが好ましく、該被覆体６が腰部パーツ４・５に取付けられる構成であることがより好ましい。
【００３５】
腰部パーツ４・５への被覆体６の取付構成としては、例えば、被覆体６の内面に、被覆体取付部６１・６２を形成しておき、該被覆体取付部６１・６２が嵌合する被覆体被取付部４５・５５を腰部パーツ４・５の外面に形成した構成とすることが好ましい。
【００３６】
被覆体取付部６１・６２としては、本実施例では被覆体６の内面の一部に形成した凹部としているが、凹条、孔部のいずれか１つ、又は凸部、凸条、突起のいずれか１つを有する構成であってもよい。
【００３７】
被覆体被取付部４５・５５としては、本実施例では腰部パーツ４・５の外面に形成した凸部としているが、凸条、突起のいずれか１つ、又は凹部、凹条、孔部のいずれか１つを有する構成であってもよい。
【００３８】
被覆体３で被覆された腰部２の構成以外の人形玩具１の構成、即ち、胴体部７、脚部８、頭部９、腕部１０等並びに各部の関節構成等については、この種の公知公用の人形玩具の種々構成を特別の制限なく採ることができ、また、構成素材についても同様にこの種の公知公用の人形玩具の構成素材、例えば、ウレタン樹脂、アクリル樹脂、ＡＢＳ樹脂、ナイロン樹脂、ポリカーボネート樹脂、ポリプロピレン樹脂、スチロール樹脂、ポリ塩化ビニル樹脂、ポリスチレン樹脂、ＦＲＰ樹脂等を挙げることができる。
【００３９】
次に、図８〜図１２に従って本考案の参考例を説明する。
本考案の参考例としては、下記構成を有する。
【００４０】
ａ．股関節を含む腰部をパンツ構成の被覆体によって被覆して成る人形玩具における股関節を含む腰部の被覆構造において、
前記股関節を含む腰部が、
胴体部の下方に関節動が可能な状態又は固定状態で取付けられる腰部パーツと、
該腰部パーツに下方から取付けられるパーツであって、脚部が関節動可能に取付けられる股関節球体部と、該股関節球体部を両端に有する連結軸部と、該連結軸部の略中央に設けられて前記腰部パーツへの取付固定部分となる略四角形の平板状取付部と、を有して成る股関節パーツと、
を有して構成されており、
前記股関節パーツの平板状取付部の略四角形の四辺の内、前記腰部パーツへの取付方向と平行な二辺の少なくともいずれか一方の辺に、凹溝又は凸条が形成されており、
該平板状取付部の凹溝又は凸条が形成された辺が接する前記腰部パーツの被取付部分に、前記凹溝又は凸条が嵌合する凸条又は凹溝が形成されていること
を特徴とする人形玩具における股関節を含む腰部の被覆構造。
【００４１】
ｂ．前記股関節パーツの平板状取付部の略四角形の四辺の内、前記腰部パーツへの取付方向前方側に位置する一辺に、突起又は孔部が形成されており、
該突起又は孔部が形成された辺が接する前記腰部パーツの被取付部分に、前記突起又は孔部に嵌合する孔部又は突起が形成されていること
を特徴とする上記ａに記載の人形玩具における股関節を含む腰部の被覆構造。
【００４２】
ｃ．前記被覆体が柔軟素材から成っていることを特徴とする上記ａ又はｂに記載の人形玩具における股関節を含む腰部の被覆構造。
【００４３】
ｄ．前記被覆体が、前記腰部の腰部パーツ及び股関節パーツの下方からはかせて取付けることで股関節を含む腰部を被覆する構成であることを特徴とする上記ａ〜ｃのいずれかに記載の人形玩具における股関節を含む腰部の被覆構造。
【００４４】
ｅ．前記被覆体が前記腰部の腰部パーツに取付けられる構成であることを特徴とする上記ａ〜ｄのいずれかに記載の人形玩具における股関節を含む腰部の被覆構造。
【００４５】
上記ａ構成によれば、製造組立時や使用時（遊戯時）に股関節パーツに大きな力が加わった場合でも、分離解体することなく形態を維持できる、人形玩具における股関節を含む腰部の被覆構造を提供することができる。
【００４６】
特に、股関節パーツが腰部パーツの下方から取り付けられる構成であり、この取付方向が、股関節パーツに脚部パーツを組み付ける際や使用時（遊戯時）に股関節位置で脚部を関節動させる際の股関節パーツに加わる応力方向と略一致するので、組み付け時や使用時（遊戯時）に加わる応力に耐え易い構造となっている。
【００４７】
更に、股関節パーツの平板状取付部に形成された凹溝又は凸条が取付方向と並行な辺に形成されていることから、この凹溝又は凸条が取付時のガイドとなるので、股関節パーツを腰部パーツの正しい位置に容易に取り付けることができる。
【００４８】
更にまた、股関節パーツの平板状取付部に形成された凹溝又は凸条と腰部パーツに形成された凸条又は凹溝とが嵌合する構成なので、使用時（遊戯時）に取付方向とは異なる方向、即ち、該取付方向と交わる方向に応力が加わった場合であっても、かかる方向への股関節パーツの位置ズレや分離等を著しく抑制することができる。
【００４９】
上記ｂ構成によれば、股関節パーツの平板状取付部に形成された突起又は孔部と腰部パーツに形成された孔部又は突起とが嵌合する構成なので、使用時（遊戯時）に取付方向とは異なる方向、即ち、該取付方向と交わる方向に応力が加わった場合であっても、かかる方向への股関節パーツの位置ズレや分離等を更に抑制することができる。
【００５０】
上記ｃ構成によれば、股関節位置で脚部を大きく関節動させた場合に脚部付け根部分が被覆体と干渉しても、該被覆体が柔軟に変形するので、脚部の動きを妨げることがない。
【００５１】
上記ｄ構成によれば、被覆体をはかせて取り付ける方向が腰部パーツへの股関節パーツの取付方向と一致するので、この被覆体をはかせる際に股関節パーツに加わる力が該股関節パーツを分離してしまう方向に働かないため、該股関節パーツの位置ズレ・分離・脱落等の虞がない。従って、腰部パーツへの股関節パーツの固定（例えば、接着による固定等）が未だ不充分であっても被覆体の取付けが可能なので効率的に製造組立を行うことができる。
【００５２】
上記ｅ構成によれば、胴体部に対して腰部が関節動する際に、腰部と一体化した状態で被覆体が動くことになるので、胴体部と腰部との可動のための間隙や股関節パーツに組み付けられた脚部パーツとの間隙等をより被覆して隠すことが可能となる。
【００５３】
上記ａ〜ｅ構成を有する参考例について更に詳説すると、人形玩具における股関節を含む腰部の被覆構造は、図８に示すような人形玩具１１０の腰部１２０の構造に関するものであり、股関節を含む腰部１２０をパンツ構成の被覆体１３０によって被覆され、胴体部１４０、脚部１５０、頭部１６０、腕部１７０等の各構成部材の関節部分である首・肩・肘・手首・腰・股関節・膝・足首等の各部が動くように構成することで人体と同様の動きに近づけようとするものである。
【００５４】
人形玩具１１０における股関節を含む腰部１２０の被覆構造について図８〜図１２に基いて更に詳説すると、
前記股関節を含む腰部１２０が、
胴体部１４０の下方に関節動が可能な状態又は固定状態（本実施例では関節動が可能な状態）で取付けられる腰部パーツ１２１と、
該腰部パーツ１２１に下方から取付けられるパーツであって、脚部１５０が関節動可能に取付けられる股関節球体部１２２１と、該股関節球体部１２２１を両端に有する連結軸部１２２２と、該連結軸部１２２２の略中央に設けられて前記腰部パーツ１２１への取付固定部分となる略四角形の平板状取付部１２２３と、を有して成る股関節パーツ１２２と、
を有して構成されており、
前記股関節パーツ１２２の平板状取付部１２２３の略四角形の四辺１２２３Ａ〜１２２３Ｄの内、前記腰部パーツ１２１への取付方向と平行な二辺１２２３Ａ・１２２３Ｂの少なくともいずれか一方の辺（本実施例では１２２３Ａ）に、凹溝１２２３Ｅが形成されており、
該平板状取付部１２２３の凹溝１２２３Ｅが形成された辺１２２３Ａが接する前記腰部パーツ１２１の被取付部分１２１１に、前記凹溝１２２３Ｅが嵌合する凸条１２１１Ａが形成された構成を有する。
【００５５】
また、前記股関節パーツ１２２の平板状取付部１２２３の略四角形の四辺１２２３Ａ〜１２２３Ｄの内、前記腰部パーツ１２１への取付方向前方側に位置する一辺１２２３Ｃに、孔部１２２３Ｆが形成されており、
該孔部１２２３Ｆが形成された辺１２２３Ｃが接する前記腰部パーツ１２１の被取付部分１２２３に、前記孔部１２２３Ｆに嵌合する突起１２１１Ｂが形成されている。
【００５６】
股関節パーツ１２２に脚関節パーツ１５１を介して脚部１５０を組み付ける際や、完成後の人形玩具１１０の使用時（遊戯時）に股関節位置で脚部１５０を関節動させる際には、股関節パーツ１２２及び腰部パーツ１２２に応力が加わることになるが、この応力の加わる方向が、腰部パーツ１２１に対する股関節パーツ１２２の取付方向と略一致するので、組み付け時や使用時（遊戯時）に加わる応力に耐え易い構造となっている。
【００５７】
また、使用時（遊戯時）等に前記取付方向とは異なる方向（例えば、取付方向に交差する方向等）に応力が加わった場合でも、平板状取付部１２２３の凹溝１２２３Ｅと腰部パーツ１２１の凸条１２１１Ａとが嵌合することで前記取付方向とは異なる方向への股関節パーツ１２２の位置ズレ・分離・脱落等を抑制することができる。更に、凹溝１２２３Ｅと凸条１２１１Ａとの嵌合に加えて、平板状取付部１２２３の孔部１２２３Ｆと腰部パーツ１２１の突起１２１１Ｂとを嵌合する構成とすることで、前記位置ズレ・分離・脱落等の抑制をより効果的とすることができる。
【００５８】
腰部パーツ１２１への股関節パーツ１２２の取付けに際しては、平板状取付部１２２３に形成された凹溝１２２３Ｅが取付方向と並行な辺１２２３Ａに形成されていることから、この凹溝１２２３Ｅが取付時のガイドとなるので、股関節パーツ１２２を腰部パーツ１２１の正しい位置に容易に取り付けることができる。尚、この際、腰部パーツ１２１と股関節パーツ１２２とは、両部材が接する部分である辺１２２３Ａ・１２２３Ｂ・１２２３Ｃ及び凹溝１２２３Ｅ、並びに被取付部分１２１１及び凸条１２１１Ａ・突起１２１１Ｂに接着剤等の固着手段を塗設して接着固定構成とすることが好ましい。
【００５９】
上記構成を有する腰部１２０を被覆するパンツ構成の被覆体１３０としては、柔軟素材から成っていることが好ましい。好ましい柔軟素材としては、例えば、熱可塑性ゴム（ＴＰＲ）や軟質ポリ塩化ビニル（ＰＶＣ）等を挙げることができる。
【００６０】
また被覆体１３０は、前記腰部１２０の腰部パーツ１２１及び股関節パーツ１２２の下方からはかせて取付ける構成であることが好ましく、該被覆体１３０が腰部パーツ１２１に取付けられる構成であることがより好ましい。腰部パーツ１２１への被覆体１３０の取付構成としては、例えば、腰部パーツ１２１に形成された被覆体固定用凹部１２１２に、被覆体１３０の内側に形成された固定用突起１３１（図１２参照）を接着剤等の固着手段を用いて取付固定する構成が好ましい。
【００６１】
被覆体１３０で被覆された腰部１２０の構成以外の人形玩具１１０の構成、即ち、胴体部１４０、脚部１５０、頭部１６０、腕部１７０等並びに各部の関節構成等については、この種の公知公用の人形玩具の種々構成を特別の制限なく採ることができ、また、構成素材についても同様にこの種の公知公用の人形玩具の構成素材、例えば、ウレタン樹脂、アクリル樹脂、ＡＢＳ樹脂、ナイロン樹脂、ポリカーボネート樹脂、ポリプロピレン樹脂、スチロール樹脂、ポリ塩化ビニル樹脂、ポリスチレン樹脂、ＦＲＰ樹脂等を挙げることができる。
【００６２】
以上、人形玩具における股関節を含む腰部の被覆構造の参考例について説明したが、当該参考例は種々の他の態様を採ることもできる。
【００６３】
例えば、上記参考例では、平板状四角部１２２３の辺１２２３Ａに凹溝１２２３Ｅを形成したが、股関節パーツ１２２の腰部パーツ１２１への取付方向と平行なもう一辺である辺１２２３Ｂに形成されていてもよいし、辺１２２３Ａと辺１２２３Ｂの両方に形成されていてもよい。辺１２２３Ｂに凹溝１２２３が形成される場合、該凹溝１２２３に嵌合する被取付部分１２１１の位置に凸条を形成することは言うまでもない。
【００６４】
また、上記参考例では、平板状四角部１２２３に凹溝１２２３Ｅ、腰部パーツ１２１に凸条１２１１Ａを形成したが、平板状四角部１２２３に凸条、腰部パーツ１２１に凹溝を形成する構成であってもよいし、辺１２２３Ａと辺１２２３Ｂの二辺で混在させて形成する構成であってもよい。
【００６５】
更に、上記参考例では、平板状四角部１２２３の辺１２２３Ｃに孔部１２２３Ｆを形成し、腰部パーツ１２１の被取付部分１２１１に突起１２１１Ｂを形成したが、孔部と突起の形成位置は逆であってもよい。また、孔部１２２３Ｆと突起１２１１Ｂは一組に限らず二組以上形成されていてもよい。
【符号の説明】
【００６６】
１  人形玩具
２  腰部
３  股関節パーツ
３１  本体部
３１Ａ  本体部の前面
３１Ｂ  本体部の後面
３２  股関節軸部
３３  股関節球体部
３４  腰関節軸部
３５  腰関節球体部
３６  係止部
４  腰部パーツの前パーツ部
４１  股関節パーツ取付用前側凹部
４２  腰関節軸部用凹部
４３  被掛止部
４４  突起
４５  被覆体被取付部
５  腰部パーツの後パーツ部
５１  股関節パーツ取付用後側凹部
５２  腰関節軸部用凹部
５３  被掛止部
５４  孔部
５５  被覆体被取付部
６  被覆体
６１  被覆体取付部
６２  被覆体取付部
７  胴体部
８  脚部
８１  脚関節パーツ
９  頭部
１０  腕部
１１０  人形玩具（参考例）
１２０  腰部
１２１  腰部パーツ
１２１１  被取付部分
１２１１Ａ  凸条
１２１１Ｂ  突起
１２１２  被覆体固定用凹部
１２２  股関節パーツ
１２２１  股関節球体部
１２２２  連結軸部
１２２３  平板状取付部
１２２３Ａ〜Ｄ  平板状取付部の四辺
１２２３Ｅ  凹溝
１２２３Ｆ  孔部
１３０  被覆体
１３１  固定用突起
１４０  胴体部
１５０  脚部
１５１  脚関節パーツ
１６０  頭部
１７０  腕部
【図１】
0003153501.tif 000003
【図２】
0003153501.tif 000004
【図３】
0003153501.tif 000005
【図４】
0003153501.tif 000006
【図５】
0003153501.tif 000007
【図６】
0003153501.tif 000008
【図７】
0003153501.tif 000009
【図８】
0003153501.tif 000010
【図９】
0003153501.tif 000011
【図１０】
0003153501.tif 000012
【図１１】
0003153501.tif 000013
【図１２】
0003153501.tif 000014
【手続補正書】
【提出日】平成21年7月3日(2009.7.3)
【手続補正１】
【補正対象書類名】明細書
【補正対象項目名】００１０
【補正方法】変更
【補正の内容】
【００１０】
２．前記股関節パーツの本体部の前面及び／又は後面には、凹部、凹条、孔部のいずれか１つ、又は凸部、凸条、突起のいずれか１つからなる係止部が形成され、
前記腰部パーツの前パーツ部及び／又は後パーツ部には、前記係止部が嵌合する凸部、凸条、突起のいずれか１つ、又は凹部、凹条、孔部のいずれか１つからなる被係止部が形成されていること、
を特徴とする上記１に記載の人形玩具における股関節及び腰関節を含む腰部の被覆構造。
【手続補正２】
【補正対象書類名】明細書
【補正対象項目名】００１４
【補正方法】変更
【補正の内容】
【００１４】
６．前記被覆体の内面に、凹部、凹条、孔部のいずれか１つ、又は凸部、凸条、突起のいずれか１つからなる被覆体取付部が形成され、
前記腰部パーツの外面に、前記被覆体取付部が嵌合する凸部、凸条、突起のいずれか１つ、又は凹部、凹条、孔部のいずれか１つからなる被覆体被取付部が形成されていること、
を特徴とする上記５に記載の人形玩具における股関節及び腰関節を含む腰部の被覆構造。
【手続補正３】
【補正対象書類名】実用新案登録請求の範囲
【補正対象項目名】請求項２
【補正方法】変更
【補正の内容】
【請求項２】
前記股関節パーツの本体部の前面及び／又は後面には、凹部、凹条、孔部のいずれか１つ、又は凸部、凸条、突起のいずれか１つからなる係止部が形成され、
前記腰部パーツの前パーツ部及び／又は後パーツ部には、前記係止部が嵌合する凸部、凸条、突起のいずれか１つ、又は凹部、凹条、孔部のいずれか１つからなる被係止部が形成されていること、
を特徴とする請求項１に記載の人形玩具における股関節及び腰関節を含む腰部の被覆構造。
【手続補正４】
【補正対象書類名】実用新案登録請求の範囲
【補正対象項目名】請求項６
【補正方法】変更
【補正の内容】
【請求項６】
前記被覆体の内面に、凹部、凹条、孔部のいずれか１つ、又は凸部、凸条、突起のいずれか１つからなる被覆体取付部が形成され、
前記腰部パーツの外面に、前記被覆体取付部が嵌合する凸部、凸条、突起のいずれか１つ、又は凹部、凹条、孔部のいずれか１つからなる被覆体被取付部が形成されていること、
を特徴とする請求項５に記載の人形玩具における股関節及び腰関節を含む腰部の被覆構造。